(57)【要約】      （修正有）【課題】雄部材と雌部材の連結を解除するための操作性を高めることができるバックルを提供する。【解決手段】バックルは、雄部材３０と、雄部材３０に対し連結及び連結解除可能な雌部材１０とから構成される。雄部材３０は、ベース部と、ベース部から突出する突起部とを備える。雌部材１０は、雌本体と、雌本体に設けられた、ベルトを取付可能な取付部１５と、雌本体に装着される係合部材２０とを備える。係合部材２０は、突起部をその間に受け入れて突起部と連結可能な一対の係合部２１を含む。一対の係合部２１は、初期位置から互いに離れる方向に弾性的に変位可能である。雌本体は、一対の係合部２１に対する突起部の連結を解除する際に、ユーザが指で持ち上げる操作部を含む。【選択図】図５
0003205037.tif 000002
【実用新案登録請求の範囲】
【請求項１】
雄部材（３０）と、雄部材（３０）に対し連結及び連結解除可能な雌部材（１０、１０ａ）とから構成されるバックルであって、
雄部材（３０）は、ベース部（３１）と、ベース部（３１）から突出する突起部（３２）とを備え、
雌部材（１０、１０ａ）は、雌本体（１１、１１１）と、雌本体（１１、１１１）に設けられた、ベルトを取付可能な取付部（１５）と、雌本体（１１、１１１）に装着される係合部材（２０、１２０）とを備え、
前記係合部材（２０、１２０）は、前記突起部（３２）をその間に受け入れて前記突起部（３２）と連結可能な一対の係合部（２１、１２１）を含み、
前記一対の係合部（２１、１２１）は、初期位置から互いに離れる方向に弾性的に変位可能であり、
前記雌本体（１１、１１１）は、前記一対の係合部（２１、１２１）に対する前記突起部（３２）の連結を解除する際に、ユーザが指で持ち上げる操作部（１６、１６ａ）を含むことを特徴とするバックル。
【請求項２】
前記雌本体（１１、１１１）は、前記係合部材（２０、１２０）を収容するための収容部（Ｓ、Ｓａ）と、前記係合部材（２０、１２０）を前記収容部（Ｓ、Ｓａ）に挿入するための開放部（１２、１１２）と、前記収容部（Ｓ、Ｓａ）に収容された前記係合部材（２０、１２０）の前記一対の係合部（２１、１２１）に対応する開口（１３）とを含む請求項１に記載のバックル。
【請求項３】
前記突起部（３２）は、突端側の頭部（３４）と、頭部（３４）よりも外径が小さい首部（３３）とを含み、前記一対の係合部（２１、１２１）は、前記頭部（３４）に対応する頭部対応部（２１ａ、１２１ａ）と、前記首部（３３）に対応する、前記頭部対応部（２１ａ、１２１ａ）よりも向かい合う係合部（２１、１２１）側に突き出る係合爪部（２１ｂ、１２１ｂ）とを含む請求項１又は２に記載のバックル。
【請求項４】
前記頭部（３４）は、前記首部（３３）から突起部（３２）の半径方向外側かつ突端側へと外径が漸次拡大する下面（３４ａ）を有する請求項３に記載のバックル。
【請求項５】
前記係合部材（２０）は、それぞれ係止爪（２３ａ）を有する一対の係止片（２３）を含み、前記雌本体（１１、１１１）は、前記収容部（Ｓ、Ｓａ）に収容された前記係合部材（２０）の前記一対の係止片（２３）の係止爪（２３ａ）と係合可能な被係止部（１７、１１７）を有する請求項２に記載のバックル。
【請求項６】
前記係合部材（２０、１２０）は、前記一対の係合部（２１、１２１）と一体的に設けられた弾性支持部（２２、１２２）を含む請求項１に記載のバックル。
【考案の詳細な説明】
【技術分野】
【０００１】
本考案はバックルに関し、特に、例えば、バックパック、リュックサック、チャイルドシートのストラップやベルト等に使用されるバックルに関する。
【背景技術】
【０００２】
バックルは、一般に、互いに着脱可能な雄部材と雌部材とから構成される。国際公開第２０１４／１０２９０５号パンフレット（特許文献１）には、雄部材の突起部を雌部材の一対の係合部間に連結するタイプのバックルが開示されている。このバックルは、雌部材が雌本体と雌本体に収容される係合部材とからなり、係合部材は、一対の係合部と、雌本体の左右両側部から外部に突出する左右一対の操作部と、一対の係合部と操作部とを繋ぐばね部とを含む。そして、雄部材と雌部材との連結状態を解除する場合、ユーザは、雌部材の左右の操作部を押す。これにより、ばね部を介して一対の係合部が互いに離れる方向に弾性的に変位することで、一対の係合部間から雄部材の突起部が解放される。
【０００３】
上述した特許文献１のバックルは、バックパックのショルダーストラップとチェストストラップとの連結のために多用されているが、この使用態様では、雌部材の左右の操作部を２本の指で挟むように押し下げる操作がやり難い場合があった。
【先行技術文献】
【特許文献】
【０００４】
【特許文献１】国際公開第２０１４／１０２９０５号
【考案の概要】
【考案が解決しようとする課題】
【０００５】
従って、本考案の目的は、雄部材と雌部材の連結を解除するための操作性を高めることができるバックルを提供することである。
【課題を解決するための手段】
【０００６】
上記課題を解決するため、本考案によれば、雄部材と、雄部材に対し連結及び連結解除可能な雌部材とから構成されるバックルであって、雄部材は、ベース部と、ベース部から突出する突起部とを備え、雌部材は、雌本体と、雌本体に設けられた、ベルトを取付可能な取付部と、雌本体に装着される係合部材とを備え、前記係合部材は、前記突起部をその間に受け入れて前記突起部と連結可能な一対の係合部を含み、前記一対の係合部は、初期位置から互いに離れる方向に弾性的に変位可能であり、前記雌本体は、前記一対の係合部に対する前記突起部の連結を解除する際に、ユーザが指で持ち上げる操作部を含むことを特徴とするバックルが提供される。
【０００７】
本考案に係るバックルは、雄部材の突起部を、雌本体に装着された係合部材の一対の係合部間に押し込むことにより、雄部材と雌部材が連結される。雄部材の突起部を係合部材の一対の係合部間に押し込む際、一対の係合部は、初期位置から互いに離れる方向に一時的に弾性的に変位した後、互いに近づく方向に復元する（初期位置まで完全に戻らない場合もあり得る。）。これにより、突起部が一対の係合部間に受け入れられて一対の係合部と連結状態となる。この一対の係合部に対する突起部の連結を解除する際、ユーザは、雌本体の操作部を指で雄部材に対し持ち上げるようにする。この連結解除の際にも、一対の係合部は、初期位置から互いに離れる方向に一時的に弾性変位した後、互いに近づく方向に復元する。これにより、雄部材と雌部材の連結が解除される。本考案では、ユーザは、従来のバックルのように雌部材の左右の操作部を押すことなく、雌本体の操作部を単に１本の指でめくることにより、雄部材と雌部材の連結を解除することが可能となる。雌本体の取付部に取り付けられるベルトにはストラップ等も含まれる。
【０００８】
雄部材、雌本体、及び係合部材は、例えば、ポリアセタール、ポリアミド、ポリプロピレン等の熱可塑性樹脂から成形することができるが、これに限定されるものではない。
【０００９】
本考案の一実施形態において、前記雌本体は、前記係合部材を収容するための収容部と、前記係合部材を前記収容部に挿入するための開放部と、前記収容部に収容された前記係合部材の前記一対の係合部に対応する開口とを含む。この場合、係合部材は、雌本体に対し開放部から挿入され、収容部に収容される。雌本体の収容部に収容された状態で、係合部材の一対の係合部は、雌本体の開口に対応する位置に配置される。雄部材の突起部は、雌本体の開口を通じて係合部の一対の係合部に対し連結及び連結解除される。
【００１０】
本考案の一実施形態において、前記突起部は、突端側の頭部と、頭部よりも外径が小さい首部とを含み、前記一対の係合部は、前記頭部に対応する頭部対応部と、前記首部に対応する、前記頭部対応部よりも向かい合う係合部側に突き出る係合爪部とを含む。この場合、一対の係合部が突起部と連結した状態で、係合部の頭部対応部が突起部の頭部に対応し、係合部の係合爪部が首部に対応する。係合爪部が頭部対応部よりも向かい合う係合部側に突き出るため、首部に対応した係合爪部が、一対の係合部間から突起部を抜こうとする時に頭部に引っかかり、連結解除の抵抗として機能する。
【００１１】
本考案の一実施形態において、前記頭部は、前記首部から突起部の半径方向外側かつ突端側へと外径が漸次拡大する下面を有する。頭部の下面は、頭部の外径が首部から突起部の半径方向外側かつ突端側へと漸次拡大する傾斜面又は湾曲面である。このような頭部の下面は、係合部材の一対の係合部間に突起部が連結した状態から連結を解除する時、係合爪部の頭部に対する引っかかりを低減する役割を果たす。これは、ユーザが雌本体の操作部を指で持ち上げての雄部材と雌部材の連結解除を助長する。
【００１２】
本考案の一実施形態において、前記係合部材は、それぞれ係止爪を有する一対の係止片を含み、前記雌本体は、前記収容部に収容された前記係合部材の前記一対の係止片の係止爪と係合可能な被係止部を有する。雌本体の収容部に係合部材を収容した状態で係合部材の一対の係止片それぞれの係止爪が雌本体の被係止部に係合することにより、係合部材は雌本体の収容部に固定的に収容され、雌本体から抜けなくなる。
【００１３】
本考案の一実施形態において、前記係合部材は、前記一対の係合部と一体的に設けられた弾性支持部を含む。弾性支持部は、各係合部に互いに離れる方向への変位を許容するように各係合部を弾性的に支持する。
【考案の効果】
【００１４】
本考案に係るバックルでは、雌本体の操作部を単に１本の指でめくることにより、雄部材と雌部材の連結を解除することが可能となる。そのため、雄部材と雌部材の連結を解除するための操作性が高まる。
【図面の簡単な説明】
【００１５】
【図１】図１は、本考案の一実施形態に係るバックルの雌部材を示す斜視図である。
【図２】図２は、本考案の一実施形態に係るバックルの雄部材を示す斜視図である。
【図３】図３は、雌部材と雄部材が連結した状態を示す斜視図である。
【図４】図４は、図３のＤ−Ｄ線矢視断面図である。
【図５】図５は、図４のＥ−Ｅ線矢視部分断面図である。
【図６】図６は、図１の矢印Ａ方向から見た雌部材の正面図である。
【図７】図７は、図６のＦ−Ｆ線矢視部分断面図である。
【図８】図８は係合部材の上面図である。
【図９】図９は、図８のＧ方向から見た係合部材２０の正面図である。
【図１０】図１０は、係合部材を収容する前の雌本体を示す図７と同様の図である。
【図１１】図１１は、係合部材を収容する前の雌本体を示す図６と同様の正面図である。
【図１２】図１２は、連結状態の雌部材が雄部材に対し突起部を中心に回動する状態を示す一部断面図である。
【図１３】図１３は、雌部材の別の例を示す上面図である。
【図１４】図１４は、雌本体の別の例を示す図７と同様の部分断面図である。
【図１５】図１５は、係合部材の変形例を示す上面図である。
【考案を実施するための形態】
【００１６】
以下、本考案に係るバックルの実施形態を図面を参照しつつ説明するが、本考案はそのような実施形態に限定されるものではなく、実用新案登録請求の範囲及び均等の範囲内で適宜変更等が可能である。図１及び２は、本考案の第１実施形態に係るバックルの雌部材１０及び雄部材３０をそれぞれ示す斜視図である。図３は、雌部材１０と雄部材３０が連結した状態を示す斜視図である。図４は、図３のＤ−Ｄ線矢視断面図である。図５は、図４のＥ−Ｅ線矢視部分断面図である。図６は、図１の矢印Ａ方向から見た雌部材１０の正面図である。図７は、図６のＦ−Ｆ線矢視部分断面図である。雌部材１０は、ほぼ矩形ケース状の雌本体１１と、雌本体１１の内部に装着される係合部材２０（図８等参照）とから構成される。雌本体１１、係合部材２０及び雄部材３０は、熱可塑性樹脂からなる成形品である。図８は係合部材２０の上面図である。図９は、図８のＧ方向から見た係合部材２０の正面図である。以下、雌部材１０及び雄部材３０（雌本体１１及び係合部材２０）について、上下方向は図４、６等の紙面に基づくものとする。また、雌部材１０について、左右方向は図６、７等の紙面に基づくものとする。更に、雌部材１０について、図１のＡ方向から見て手前側を前方、奥側を後方と呼ぶ。雌本体１１は、ほぼ矩形状の上板１１ａ及び下板１１ｂと、左側部１１ｃ及び右側部１１ｄと、後側部１１ｅ（図４等参照）と、後端部１１ｆとを備える。上板１１ａ、下板１１ｂ、左側部１１ｃ、右側部１１ｄ、及び後側部１１ｅは、雌本体１１の内部に、ほぼ矩形状の空間である収容部Ｓを規定する。収容部Ｓは、雌本体１１の前側部の開放部１２を通じて外部に開放する。係合部材２０は、雌本体１１に対し開放部１２から挿入され、収容部Ｓに収容される。図１０は、係合部材２０を収容する前の雌本体１１を示す図７と同様の部分断面図である。図１１は、係合部材２０を収容する前の雌本体１１を示す図６と同様の正面図である。図１０から分かるように、雌本体１１の下板１１ｂの中央には、円形の開口１３が形成される。雌本体１１の後側部１１ｅと後端部１１ｆとの間には、ストラップ４１（図４参照）を上下に通すためのストラップ孔１４が設けられる。ストラップ孔１４は、図４から分かるように、上半部が取付部１５により前後（図４の紙面において左右）に二股に分けられる。また、雌本体１１の上板１１ａは、開放部１２よりも前方（図４の紙面において左方）に突き出る鍔状の操作部１６を含む。操作部１６は、ユーザが雄部材３０に対する雌部材１０の連結状態を解除する際に１本の指を当てて雌部材１０を雄部材３０に対して持ち上げる部分である。
【００１７】
雄部材３０は、ほぼ矩形板状のベース部３１と、ベース部３１の中央から上方に突出する突起部３２とを備える。図４を参照して、突起部３２は、円板状の基端部３２ａと、基端部３２ａから上方に突出する被係合部３２ｂとを含む。基端部３２ａの外径及び高さは、雌部材１０の下板１０ｂの開口１３の内径及び高さとほぼ一致する。被係合部３２ｂは、下方の首部３３と、首部３３よりも外径が大きい上方の頭部３４とからなる。基端部３２ａ、首部３３及び頭部３４は同心である。頭部３４は、首部３３との境界から突起部３２の半径方向外側かつ上方（突端側）へと外径が漸次拡大する下面である傾斜面３４ａを有する。この傾斜面３４ａは湾曲していてもよい。また、頭部３４の上面３４ｂは、上方に凸となる湾曲面である。基端部３２ａからの被係合部３２ｂの突出高さは、係合部材２０の厚さとほぼ同じである。雄部材３０について、以下、図２の矢印Ｂ方向を左右方向、矢印Ｃ方向を前後方向と呼ぶ。ベース部３１には、突起部３２の左右に、ストラップ（ベルト）４０（図３参照）を通すための前後方向に細長いストラップ孔３５がそれぞれ設けられる。ベース部３１は、前後方向の長さよりも左右方向の長さが若干長い。また、図４を参照して、ベース部３１には、下面３１ａから上方に凹となる窪み３６が設けられる。窪み３６は、外径が上方へと漸次縮小する円錐台形状であり、また、突起部３２と同心である。窪み３６の底面（上面）３６ａは、ベース部３１の上面３１ｂよりも若干上方に位置する。窪み３６の底面３６ａの直径は首部３３よりも若干小さく、窪み３６のベース部３１の下面３１ａに開口する直径は、基端部３２ａよりも小さくかつ首部３３よりも大きい。
【００１８】
図８を参照して、係合部材２０は、雄部材３０の突起部３２の被係合部３２ｂと連結可能な上下一対の係合部２１と、各係合部２１に互いに離れる方向への弾性的な変位を許容するように各係合部２１を支持する上下一対の弾性支持部２２と、各弾性支持部２２の左右両端が繋がる左右一対の係止片２３とを備える。上下の係合部２１及び弾性支持部２２はそれぞれ一体的に形成される。各係合部２１は、雄部材３０の突起部３２の被係合部３２ｂとの連結状態において、被係合部３２ｂの頭部３４に対応する上半部である頭部対応部２１ａと、首部３３に対応する下半部である係合爪部２１ｂとを含む。各頭部対応部２１ａは、対応する弾性支持部２２の後述する支持中間部２２ａの内側端部（対応する係合部２１側の端部）から左右に円弧状に延びる。各係合部２１の頭部対応部２１ａの互いに向かい合う対向側面２１ａａはほぼ円弧に沿う。各係合爪部２１ｂは、頭部対応部２１ａの対向側面２１ａａよりも向かい合う係合部２１側に三日月形状に突き出て、上下の係合部２１間の間隔を狭めている。係合爪部２１ｂの頭部対応部２１ａの対向側面２１ａａから突き出る幅は、左右方向中間点で最も大きく、左右方向中間点から左右へと漸次縮小する。各係合爪部２１ｂの互いに向かい合う対向側面２１ｂａの曲率は、頭部対応部２１ａの対向側面２１ａａよりも小さい。初期状態における上下の係合部２１の頭部対応部２１ａの対向側面２１ａａ間の間隔は、雄部材３０の突起部３２の頭部３４の直径とほぼ等しい。また、初期状態における上下の係合部２１の係合爪部２１ｂ間の、左右方向中間点での間隔は、突起部３２の首部３３の直径とほぼ等しい。
【００１９】
各弾性支持部２２は、左右方向中間で各係合部２１と繋がる支持中間部２２ａと、支持中間部２２ａから左右へとほぼ円弧状に延びて係止片２３に繋がるばね部２２ｂとを含む。上下の弾性支持部２２のばね部２２ｂは、それぞれの支持中間部２２ａから互いに近づくように左右に延びる。また、各弾性支持部２２は、支持中間部２２ａの係合部２１とは反対側の端部から左右に延びる拡張部２２ｃを更に含む。図８を参照して、中間支持部２２ａと拡張部２２ｃとはＴ字をなし、Ｔ字の軸が中間支持部２２ａであり、Ｔ字の頭の横バーが拡張部２２ｃである。図９も参照して、中間支持部２２ａと、拡張部２２ｃの左右中央部とには、上方にわずかに凸となる突部２２ｄが設けられる。左右の係止片２３は、それぞれ左方及び右方に突き出る係止爪２３ａを前端及び後端にそれぞれ有する。左右の係止片２３は、前後の係止爪２３ａ付近で、それぞれ右方及び左方へと互いに近づくように若干曲がっている。係合部材２０の左右方向の幅は、雌本体１１の左側部１１ｃ及び右側部１１ｄ間の間隔と実質的に同じである（図７参照）。係合部材２０の前後方向の長さは、雌本体１１の収容部Ｓの前後方向の長さよりも若干短い（図７参照）。
【００２０】
図１０を参照して、雌本体１１の左側部１１ｃ及び右側部１１ｄそれぞれの、収容部Ｓを規定する内側面１１ｃａ、１１ｄａは、後方部分に互いに近づくように後側部１１ｅへと傾斜する傾斜内側面１１ｃｂ、１１ｄｂを含む。傾斜内側面１１ｃｂ、１１ｄｂにより、収容部Ｓの後方部分は、左右方向の間隔が後端へと若干狭まる。また、左側部１１ｃ及び右側部１１ｄは、傾斜内側面１１ｃｂ、１１ｄｂからそれぞれ左方及び右方に窪む被係止部１７を有する。被係止部１７は、雌本体１１の収容部Ｓに収容された係合部材２０の後方の係止爪２３ａを受け入れて係合する。更に詳しくは、雌本体１１の収容部Ｓに対し開放部１２から係合部材２０を挿入し、後方へと押すと、係合部材２０の左右の係止片２３それぞれの後方の係止爪２３ａが、雌本体１１の左側部１１ｃ及び右側部１１ｄの傾斜内側面１１ｃｂ、１１ｄｂに沿ってそれぞれ右方及び左方に弾性変形し、次いで、後方の左右の係止爪２３ａが被係止部１７に到達すると、各係止爪２３ａが復元して被係止部１７に係合する（図７参照）。このように、係合部材２０は、雌本体１１に開放部１２から挿入するだけで、収容部Ｓに固定的に収容され、雌本体１１から抜けなくなる。そのため、雌本体１１と係合部材２０の組立性が高い。本実施形態では、係合部材２０の係止片２３の前後に係合爪２３ａを設けたことにより、係合部材２０の前後方向を区別することなく、雌本体１１に開放部１２から挿入することができる。しかしながら、係合部材２０の係止片２３の後端にのみ係合爪２３ａを設けることもできる。また、係合部材２０が雌本体１１の収容部Ｓに収容された状態で、係合部材２０の係合部２１は雌本体１１の開口１３に対応する位置に配置される。この状態で、係合部２１は、雌本体１１の外部から開口１３を通じて部分的に見える。
【００２１】
図９を参照して、係合部材２０において、ばね部２２ｂの上下厚さは、係止片２３、中間支持部２２ａ及び拡張部２２ｃの上下厚さよりもわずかに小さい。これにより、ばね部２２ｂは、係止片２３、中間支持部２２ａ及び拡張部２２ｃよりも弾性変形し易くなる。図９には示さないが、係合部２１の上下厚さは係止片２３の上下厚さとほぼ等しい。また、上述したように、拡張部２２ｃは、その左右中央部に上方に凸となる突部２２ｄを有し、突部２２ｄは中間支持部２２ａに及んでいる。図１１を参照して、参照番号１１ａａは、雌本体１１の上板１１ａの下面１１ａａである。上板１１ａの下面１１ａａには、下方にわずかに凸となる左右の凸部１８と、左右の凸部１８間に規定される溝部１９とが設けられる。凸部１８及び溝部１９は、上板１１ａの前後方向全長にわたって形成される。溝部１９の左右長さ及び上下厚さは、係合部材２０の突部２２ｄの左右長さ及び上下厚さとほぼ等しい。このような雌本体１１の凸部１８及び溝部１９の存在により、雌本体１１の収容部Ｓに対し係合部材２０を挿入する際、係合部材２０の突部２２ｄを雌本体１１の溝部１９に通すことが必要である。すなわち、係合部材２０の突部２２ｄが下方を向いている場合、雌本体１１の収容部Ｓに係合部材２０を挿入することはできない。そのため、突部２２ｄにより、係合部材２０を雌本体１１に組み込む時の表裏判別が可能となる。また、雌本体１１の溝部１９は、係合部材２０が雌本体１１の収容部Ｓに収容された後の使用において、後述する雌部材１０と雄部材３０の連結及び連結解除時において、係合部材２０の弾性支持部２２の弾性変位を、突部２２ｄとの係合を介してガイドする役割を果たす。これにより、係合部材２０の係合部２１の弾性変位が安定的に行われる。
【００２２】
次に、雌部材１０と雄部材３０を連結する際の動作について説明するが、この説明において上下方向は図４の紙面に基づくものとする。雌部材１０と雄部材３０を連結する場合、雄部材３０の突起部３２に対し、雌部材１０を開口１３から下方に押し付けるようにする。これにより、突起部３２の被係合部３２ｂが開口１３から係合部材２０の一対の係合部２１間に入り込む。これにより、雌部材１０と雄部材３０が連結状態となる（図４参照）。被係合部３２ｂが一対の係合部２１間に入り込む直前において、頭部３４の湾曲する上面３４ｂが一対の係合爪部２１ｂに突き当たり、両係合爪部２１ｂ間の間隔を押し広げながら相対的に上方に移動する。この時、一対の係合部２１は、初期位置から、それぞれの弾性支持部２２の弾性変形を介して互いに離れる方向に弾性的に変位する。この時、係合部２１の変位は、突部２２ｄが雌本体１１の溝部１９にガイドされて行われる。そして、頭部３４が係合爪部２１ｂを越えると、一対の係合部２１が互いに近づく方向に復元し（初期位置まで完全に戻らない場合もあり得る。）、一対の係合爪部２１ｂが首部３３に嵌まり込む。これにより、雌部材１０が雄部材３０と連結する。この連結状態において、雄部材３０の突起部３２の基端部３２ａは雌部材１０の開口１３に嵌合し、また、頭部３４は一対の係合部２１の頭部対応部２１ａ間に入り込み、更に、一対の係合爪部２１ｂが首部３３に嵌まり込む。このような係合爪部２１ｂは、一対の係合部２１間から突起部３２を抜こうとする時に頭部３４に引っかかり、連結解除の抵抗として機能する。そのため、ユーザが一定以上の力で雌部材１０を雄部材３０から引き離さない限り、両者の連結状態は解除されない。
【００２３】
雌部材１０と雄部材３０の連結状態を解除する場合、ユーザは、雌部材１０の操作部１６に１本の指を当て、雄部材３０に対し雌部材１０を引き離すように持ち上げる。これにより、一対の係合部２１間にあった突起部３２の被係合部３２ｂが一対の係合部２１間から抜け、雌部材１０と雄部材３０の連結が解除される。この連結解除の際にも、一対の係合部２１は、初期位置から互いに離れる方向に一時的に弾性変位した後、互いに近づく方向に復元する。連結解除時において、突起部３２の頭部３４の傾斜面３４ａが、係合爪部２１ｂの頭部３４に対する引っかかりを低減する役割を果たす。特に、雌部材１０の操作部１６を指で持ち上げる（めくる）動作は、係合部材２０を突起部３２に対し傾けるため、頭部３４の傾斜面３４ａにより係合爪部２１ｂが頭部３４を乗り越え易くなる。
【００２４】
連結状態にある雌部材１０と雄部材３０は、雄部材３０の突起部３２を中心に互いに回動可能である。図１２は、連結状態の雌部材１０が雄部材３０に対し突起部３２を中心に回動する状態を示す一部断面図である。雄部材３０に対する雌部材１０の回動中、雌部材１０の開口１３が突起部３２の基端部３２ａをガイドし、突起部３２の被係合部３２ｂは一対の係合部２１間に連結された状態を保つ。
【００２５】
以上の第１実施形態の雌部材１０では、操作部１６が雌本体１１の上板１１ａから前方に突き出る例を挙げたが、本考案はこれに限定されるものではない。図１３は、雌部材の別の例である雌部材１０ａを示す上面図である。雌部材１０ａは、雌本体１１の上板１１ａから右方に突き出るように形成された操作部１６ａを備える。雌部材１０ａの操作部１６ａは、上板１１ａから前方に突き出る操作部１６に加えて又は操作部１６に代えて設けることができる。操作部１６ａは、紐等を通すことができる二つの孔１６ｂを有する。図１３において、雌部材１０ａの構成は、操作部１６ａを除いて第１実施形態の雌部材１０と同じであるため、雌本体１１、上板１１ａ等について同じ参照番号を用いている。雌部材１０ａを使用したバックルの場合、ユーザが操作部１６ａに指を当てて雌部材１０ａを雄部材３０に対し持ち上げることにより、雄部材３０と雌部材１０ａの連結状態を解除することができる。
【００２６】
図１４は、雌本体１１の別の例である雌本体１１１を示す図７と同様の部分断面図である。雌本体１１１は、既述した第１実施形態の係合部材２０が収容される収容部Ｓａを有し、収容部Ｓａは右側部の開放部１１２から外部に開放する。すなわち、係合部材２０は、右方の開放部１１２から収容部Ｓａに挿入され、この時、係合部材２０は、一対の係合部２１が左右に並ぶように配向され、係合部材２０の係止片２３は上下に来る。雌本体１１１において、収容部Ｓａは、上板（図示せず）と、下板１１１ａと、前側部１１１ｂと、左側部１１１ｃと、後側部１１１ｄとによって規定される。前側部１１１ｂ及び後側部１１１ｄそれぞれの内側面１１１ｅの左端部に、係合部材２０の係止片２３の係止爪２３ａが係合する被係止部１１７が設けられる。図１４における参照番号１１６は、前側部１１１ｂ及び後側部１１１ｄそれぞれの内側面１１１ｅに設けられた内側傾斜面である。図示はしないが、係合部材２０の突部２２ｄをガイドする溝部１９が、上板の下面に、左右方向に沿って形成される。
【００２７】
図１５は、係合部材の変形例である係合部材１２０を示す上面図である。係合部材１２０は、上下一対の係合部１２１と、各係合部１２１に互いに離れる方向への弾性的な変位を許容するように各係合部１２１を支持する弾性支持部１２２とを備える。各係合部１２１は、第１実施形態の係合部２１と同じ形態であり、雄部材３０の突起部３２の頭部３４に対応する頭部対応部１２１ａと、首部３３に対応する係合爪部１２１ｂとを含む。弾性支持部１２２は、左右方向中間で各係合部１２１と繋がる上下の支持中間部１２２ａと、上下の支持中間部１２２ａの一方から左右へとほぼ円弧状に延びて、他方の支持中間部１２２ａに繋がるばね部１２２ｂとを含む。ばね部１２２ｂは、左右方向に長い楕円形状をなす。各弾性支持部１２２は、支持中間部１２２ａの係合部１２１とは反対側の端部から左右に延びる拡張部１２２ｃを更に含む。上下の拡張部１２２ｃは、その上面から上方に突出する凸部１２３をそれぞれ有する。図示はしないが、係合部材１２０を収容部に収容する雌本体には、上下の拡張部１２２ｃそれぞれの凸部１２３と係合する凹部が設けられる。雌本体の収容部に係合部材１２０を挿入すると、係合部材の凸部１２３が雄本体の凹部に係合することによって、係合部材１２０は雄本体から抜けなくなる。係合部材１２０も係合部材２０の突部２２ｄと同様の突部１２２ｄを有する。以上の係合部材１２０を雌本体の収容部に収容した雌部材は、既述した雌部材１０と同様に雄部材３０と連結及び連結解除可能である。
【符号の説明】
【００２８】
１０、１０ａ  雌部材
１１  雌本体
１２、１１２  開放部
１３  開口
１６、１６ａ  操作部
１９  溝部
２０、１２０  係合部材
２１、１２１  係合部
２１ａ、１２１a  頭部対応部
２１ｂ、１２１ｂ  係合爪部
２２、１２２  弾性支持部
２２ｂ、１２２ｂ  ばね部
２２ｄ  突部
２３  係止片
２３ａ  係止爪
３０  雄部材
３１  ベース部
３２  突起部
３２ａ  基端部
１７、１１７  被係止部
３３  首部
３４  頭部
３４ａ  傾斜面（下面）
Ｓ、Ｓａ  収容部
【図１】
0003205037.tif 000003
【図２】
0003205037.tif 000004
【図３】
0003205037.tif 000005
【図４】
0003205037.tif 000006
【図５】
0003205037.tif 000007
【図６】
0003205037.tif 000008
【図７】
0003205037.tif 000009
【図８】
0003205037.tif 000010
【図９】
0003205037.tif 000011
【図１０】
0003205037.tif 000012
【図１１】
0003205037.tif 000013
【図１２】
0003205037.tif 000014
【図１３】
0003205037.tif 000015
【図１４】
0003205037.tif 000016
【図１５】
0003205037.tif 000017